【手続補正書】
【提出日】平成18年2月23日(2006.2.23)
【手続補正１】
【補正対象書類名】特許請求の範囲
【補正対象項目名】全文
【補正方法】変更
【補正の内容】
【特許請求の範囲】
【請求項１】
（ａ）熱可塑性ポリマー状基材、及び
（ｂ）（ｉ）式（Ｉ）又は式（Ｉ’）で表わされる構造要素を有するヒドロキシルアミンエステル、もしくは式（ＩＩ）又は（ＩＩ’）で表わされる繰返し構造単位を有するポリマー状ヒドロキシルアミンエステル
【化１】
2005527669.tif 000001
（式中、
Ｘは、水素原子、炭素原子数１ないし３６のアルキル基、炭素原子数２ないし３６のアルケニル基、炭素原子数２ないし１８のアルキニル基、炭素原子数６ないし１０のアリール基、−Ｏ−炭素原子数１ないし１８のアルキル基、−Ｏ−炭素原子数６ないし１０のアリール基、−ＮＨ−炭素原子数１ないし１８のアルキル基、−ＮＨ−炭素原子数６ないし１０のアリール基、−Ｎ（炭素原子数１ないし６のアルキル）2基を表わし、
Ｘ’は、直接結合、又は炭素原子数１ないし３６のアルキレン基、炭素原子数２ないし３６のアルケニレン基、炭素原子数２ないし３６のアルキニレン基、−（炭素原子数１ないし６のアルキレン）−フェニレン−（炭素原子数１ないし６のアルキレン）−、もしくは二量体酸からの基を表わし、
Ｇ1、Ｇ2、Ｇ3及びＧ4は、独立して、１ないし４の炭素原子を有するアルキル基を表わすか、又は、Ｇ1及びＧ2が一緒になり、かつＧ3及びＧ4が一緒になって、もしくはＧ1及びＧ2が一緒になるか、又はＧ3及びＧ4が一緒になって、ペンタメチレン基を表わし、
Ｇ5及びＧ6は、独立して、水素原子又は炭素原子数１ないし４のアルキル基を表わし、
Ｒ1は、炭素原子数１ないし１２のアルキル基、炭素原子数５ないし７のシクロアルキル基、炭素原子数７ないし９のアラルキル基、炭素原子数２ないし１８のアルカノイル基、炭素原子数３ないし５のアルケノイル基又はベンゾイル基を表わす。）、及び
（ｉｉ）ハロゲン化、リン、硼素、シリコン及びアンチモン化合物、金属水酸化物、金属水和物、金属酸化物、及びそれらの混合物からなる群から選択される難燃性化合物
の混合物、
からなる難燃性組成物。
【請求項２】
前記式（Ｉ）で表わされる構造要素が、式（Ｉｂ）
【化２】
2005527669.tif 000002
（式中、
*は、結合を表わし、他の置換基は請求項１で定義された通りである。）で表わされるものである請求項１記載の組成物。
【請求項３】
前記ヒドロキシルアミンエステルが、式Ａ、Ｂ又はＣ
【化３】
2005527669.tif 000003
［式中、
Ｇ1、Ｇ2、Ｇ3及びＧ4は、メチル基を表わすか、又は、Ｇ1及びＧ3がメチル基を表わし、Ｇ2及びＧ4がエチル基を表わすか、又は、Ｇ1及びＧ2がメチル基を表わし、Ｇ3及びＧ4がエチル基を表わし、
Ｇ5及びＧ6は、独立して、水素原子又はメチル基を表わし、
ｍは、１を表わし、
Ｒは、水素原子、未中断の炭素原子数１ないし１８のアルキル基、又は１個以上の酸素原子によって中断された炭素原子数２ないし１８のアルキル基、シアノエチル基、ベンゾイル基、グリシジル基、２ないし１８個の炭素原子を有する脂肪族カルボン酸の一価の基、７ないし１５個の炭素原子を有する脂環式カルボン酸の一価の基、又は３ないし５個の炭素原子を有するα，β−不飽和カルボン酸、又は７ないし１５個の炭素原子を有する芳香族カルボン酸の一価の基を表わし、ここで、各々のカルボン酸は、脂肪族、脂環式、又は芳香族部位中を、１ないし３個の−ＣＯＯＺ12基（式中、Ｚ12は、Ｈ、炭素原子数１ないし２０のアルキル基、炭素原子数３ないし１２のアルケニル基、炭素原子数５ないし７のシクロアルキル基、フェニル基又はベンジル基を表わす。）によって置換され得るか；又は、
Ｒは、カルバミン酸又はリン含有酸の一価の基、もしくは一価のシリル基を表わし、
ｐは、１を表わし、
Ｒ1は、炭素原子数１ないし１２のアルキル基、炭素原子数５ないし７のシクロアルキル基、炭素原子数７ないし８のアラルキル基、炭素原子数２ないし１８のアルカノイル基、炭素原子数３ないし５のアルケノイル基又はベンゾイル基を表し、
Ｒ2は、炭素原子数１ないし１８のアルキル基、炭素原子数５ないし７のシクロアルキル基、未置換の、又はシアノ基、カルボニル基又はカルバミド基によって置換された、炭素原子数２ないし８のアルケニル基を表わすか、もしくは、グリシジル基、式−ＣＨ2ＣＨ（ＯＨ）−Ｚ、又は、式−ＣＯ−Ｚもしくは−ＣＯＮＨ−Ｚ（式中、Ｚは水素原子、メチル基又はフェニル基を表わす。）で表わされる基を表わし、
ｎは、１を表わし、
Ｒ3は、炭素原子数２ないし８のアルキレン基、又はヒドロキシアルキレン基、又は炭素原子数４ないし３６のアシロキシアルキレン基を表わし、
Ｘは、水素原子、炭素原子数１ないし３６のアルキル基、又は炭素原子数６ないし１０のアリール基を表わす。］で表わされるものである請求項２記載の組成物。
【請求項４】
前記ヒドロキシルアミンエステルが、ジカルボン酸又はジカルボン酸誘導体と、式Ａ１又はＢ１で表わされる化合物を反応させることによって、もしくは、ジイソシアネートと式Ａ１で表わされる化合物を反応させることによって、得られ得るオリゴマー又はポリマーである請求項１記載の組成物
【化４】
2005527669.tif 000004
（式中、置換基Ｇ1、Ｇ2、Ｇ3、Ｇ4、Ｇ5、Ｇ6及びＲ1は、請求項１で定義した通りである。）。
【請求項５】
更に、紫外線吸収剤、立体障害性アミン、フェノール性抗酸化剤、ホスフィット又はホスホナイト、及びベンゾフラノン又はインドリノンからなる群から選択される更なる添加剤を含む請求項１記載の組成物。
【請求項６】
熱可塑性ポリマー中に、
（ｉ）式（Ｉ）又は式（Ｉ’）で表わされる構造要素を有するヒドロキシルアミンエステル、もしくは式（ＩＩ）又は（ＩＩ’）で表わされる繰返し構造単位を有するポリマー状ヒドロキシルアミンエステル
【化５】
2005527669.tif 000005
（式中、
Ｘは、水素原子、炭素原子数１ないし３６のアルキル基、炭素原子数２ないし３６のアルケニル基、炭素原子数２ないし１８のアルキニル基、炭素原子数６ないし１０のアリール基、−Ｏ−炭素原子数１ないし１８のアルキル基、−Ｏ−炭素原子数６ないし１０のア
リール基、−ＮＨ−炭素原子数１ないし１８のアルキル基、−ＮＨ−炭素原子数６ないし１０のアリール基、−Ｎ（炭素原子数１ないし６のアルキル）2基を表わし、
Ｘ’は、直接結合、又は炭素原子数１ないし３６のアルキレン基、炭素原子数２ないし３６のアルケニレン基、炭素原子数２ないし３６のアルキニレン基、−（炭素原子数１ないし６のアルキレン）−フェニレン−（炭素原子数１ないし６のアルキレン）−、もしくは二量体酸からの基を表わし、
Ｇ1、Ｇ2、Ｇ3及びＧ4は、独立して、１ないし４の炭素原子を有するアルキル基を表わすか、又は、Ｇ1及びＧ2が一緒になり、かつＧ3及びＧ4が一緒になって、もしくはＧ1及びＧ2が一緒になるか、又はＧ3及びＧ4が一緒になって、ペンタメチレン基を表わし、
Ｇ5及びＧ6は、独立して、水素原子又は炭素原子数１ないし４のアルキル基を表わし、
Ｒ1は、炭素原子数１ないし１２のアルキル基、炭素原子数５ないし７のシクロアルキル基、炭素原子数７ないし８のアラルキル基、炭素原子数２ないし１８のアルカノイル基、炭素原子数３ないし５のアルケノイル基又はベンゾイル基を表わす。）、及び
（ｉｉ）ハロゲン化、リン、硼素、シリコン及びアンチモン化合物、金属水酸化物、金属水和物、金属酸化物、及びそれらの混合物からなる群から選択される難燃性化合物
の混合物、
を配合することによる、熱可塑性ポリマーを難燃化する方法。
【請求項７】
（ｉ）式（Ｉ）又は式（Ｉ’）で表わされる構造要素を有するヒドロキシルアミンエステル、もしくは式（ＩＩ）又は（ＩＩ’）で表わされる繰返し構造単位を有するポリマー状ヒドロキシルアミンエステル
【化６】
2005527669.tif 000006
（式中、
Ｘは、水素原子、炭素原子数１ないし３６のアルキル基、炭素原子数２ないし３６のアルケニル基、炭素原子数２ないし１８のアルキニル基、炭素原子数６ないし１０のアリール基、−Ｏ−炭素原子数１ないし１８のアルキル基、−Ｏ−炭素原子数６ないし１０のアリール基、−ＮＨ−炭素原子数１ないし１８のアルキル基、−ＮＨ−炭素原子数６ないし１０のアリール基、−Ｎ（炭素原子数１ないし６のアルキル）2基を表わし、
Ｘ’は、直接結合、又は炭素原子数１ないし３６のアルキレン基、炭素原子数２ないし３６のアルケニレン基、炭素原子数２ないし３６のアルキニレン基、−（炭素原子数１ないし６のアルキレン）−フェニレン−（炭素原子数１ないし６のアルキレン）−、もしくは二量体酸からの基を表わし、
Ｇ1、Ｇ2、Ｇ3及びＧ4は、独立して、１ないし４の炭素原子を有するアルキル基を表わすか、又は、Ｇ1及びＧ2が一緒になり、かつＧ3及びＧ4が一緒になって、もしくはＧ1及びＧ2が一緒になるか、又はＧ3及びＧ4が一緒になって、ペンタメチレン基を表わし、
Ｇ5及びＧ6は、独立して、水素原子又は炭素原子数１ないし４のアルキル基を表わし、
Ｒ1は、炭素原子数１ないし１２のアルキル基、炭素原子数５ないし７のシクロアルキル基、炭素原子数７ないし８のアラルキル基、炭素原子数２ないし１８のアルカノイル基、炭素原子数３ないし５のアルケノイル基又はベンゾイル基を表わす。）、及び
（ｉｉ）ハロゲン化、リン、硼素、シリコン及びアンチモン化合物、金属水酸化物、金属水和物、金属酸化物、及びそれらの混合物からなる群から選択される難燃性化合物、
からなる難燃性混合物。